(57)【要約】【課題】イメージャを用いて検査画像をフィルムに印刷したときに、印刷されたキャラクタにより、必要なフィルムシートを容易に確認することができる医用装置を提供する。【解決手段】被検体を撮影して得た検査画像データのうち、指定された一群の検査画像データを処理して所定のページ構成の画像データに変換するためのレイアウト管理部と、指定された一群の検査画像データを特定するＩＤ情報と、フィルムシートに印刷したときの個々のシートページとトータル枚数を表すシート情報とを図化して、ＩＤキャラクタとページキャラクタを同位置に付加して各ページの画像データとともに出力するイメージ作成部とを備え、イメージ作成部から出力されるデータをフィルムシートに印刷処理する。【選択図】    図１
2007190273.tif 000002
【特許請求の範囲】
【請求項１】
検査画像をフィルムシートに印刷可能にした医用装置であって、
被検体を撮影して得た検査画像データを記憶可能な記憶部と、
前記記憶部に記憶された検査画像データのうち、指定された一群の検査画像データを処理して所定のページ構成の画像データに変換するためのレイアウト管理部と、
前記指定された一群の検査画像データを特定するＩＤ情報と、前記フィルムシートに印刷したときの個々のシートページとトータル枚数を表すシート情報を生成し、前記ＩＤ情報と前記シート情報を図化したキャラクタデータをページ毎に同位置に付加して各ページの画像データとともに出力するイメージ作成部と、を具備し、
前記イメージ作成部から出力されるデータをフィルムシートに印刷処理して利用可能にしたことを特徴とする医用装置。
【請求項２】
前記ＩＤ情報を図化したキャラクタは、前記ＩＤ情報を、白黒パターンの組み合わせに変換した市松模様のＩＤキャラクタで成ることを特徴とする請求項１記載の医用装置。
【請求項３】
前記ＩＤ情報を図化したキャラクタは、前記ＩＤ情報を、数値又はアルファベットに変換したＩＤキャラクタで成ることを特徴とする請求項１記載の医用装置。
【請求項４】
前記ＩＤキャラクタは、前記それぞれのフィルムシートの同じ位置に印刷された第１のキャラクタと、前記フィルムシートの１つのページに前記第１のキャラクタに近接して印刷された同じキャラクタでなるサンプル用の第２のキャラクタにて構成したことを特徴とする請求項２又は３記載の医用装置。
【請求項５】
前記シート情報を図化したキャラクタは、前記フィルムシート個々のページとトータル枚数とを表すページキャラクタで成ることを特徴とする請求項１記載の医用装置。
【請求項６】
前記ページキャラクタは、前記それぞれのフィルムシートの同じ位置に印刷されたエンドマークと、前記フィルムシートのそれぞれのページ毎に前記エンドマークから徐々に異なる距離位置に印刷されたページマークとで構成したことを特徴とする請求項５記載の医用装置。
【請求項７】
前記ページキャラクタは、前記フィルムシートの前記エンドマークの近傍にそれぞれ印刷されたトータル枚数を表す数字と、前記フィルムシートのそれぞれのページマークの近傍に印刷された個々のページを表す数字とをさらに含むことを特徴とする請求項６記載の医用装置。
【請求項８】
被検体を撮影して得た検査画像をフィルムシートに印刷して出力し医用診断に供する医用装置であって、
被検体を撮影して得た検査画像データを記憶可能な記憶部を有する医用画像診断装置と、前記記憶部に記憶された検査画像データのうち、指定された一群の検査画像データを所定のページで構成されるイメージデータに変換して出力するイメージ変換部と、前記イメージデータをフィルムシートに印刷して出力する印刷部を有するイメージャと、を具備し、
前記イメージ変換部は、さらに前記指定された一群の検査画像データを特定するＩＤ情報と、前記フィルムシートに印刷したときの個々のシートページとトータル枚数を表すシート情報を生成し、前記ＩＤ情報と前記シート情報を図化したキャラクタデータをページ毎に同位置に付加して各ページの画像データとともに出力するイメージ作成部を有し、
前記イメージ作成部からの出力を、前記イメージャを用いて前記フィルムシートにページ単位で印刷処理することを特徴とする医用装置。
【請求項９】
前記イメージ変換部は、前記医用画像診断装置内、又は前記イメージャ内に設けたことを特徴とする請求項８記載の医用装置。
【発明の詳細な説明】
【技術分野】
【０００１】
本発明は、医用画像診断装置で生成された検査画像をフィルム上に印刷して出力し、医用診断に利用可能にした医用装置に関するものである。
【背景技術】
【０００２】
従来、医用分野においては医用画像診断装置を用いて被検体の断層画像を撮影し、画像処理することで医用診断を行うようにしている。上記医用画像診断装置としては、例えばＸ線ＣＴ装置（Ｘ線コンピュータトモグラフィ装置）、ＭＲＩ装置（磁気共鳴イメージング装置）、Ｘ線撮影装置等の各種モダリティが用いられている。
【０００３】
これら医用画像診断装置では、被検体を撮影して、画像データの収集・加工処理を行って表示装置に表示し診断を行うようにしている。また各医用画像診断装置で生成した検査画像は、イメージャによってフィルムに印刷され、このフィルム画像を確認しながら診断を行うようにしている。
【０００４】
ところで、上記したようにイメージャでフィルムに印刷する場合は、複数の医用画像診断装置から複数の検査画像が順不同でイメージャに送られる。そのため、イメージャの出力部には上記画像を印刷したシートが重なり、オペレレータがシートの中から必要な検査シートを抜き出す際に、以下のような確認を行う必要がある。
【０００５】
ａ．抜き出したシートが正に必要な検査シートであることを確認する。
【０００６】
ｂ．抜き出したシートに別の検査シートが含まれていないことを確認する。
【０００７】
ｃ．残りのシートの中に、必要な検査シートが残っていないことを確認する。
【０００８】
ｄ．抜き出したシートに一連の検査シートが含まれていることを確認する。
【０００９】
特許文献１には、フィルム確認方法について記載されており、診断画像情報をフィルムシートに印刷する際に患者名や患者ＩＤに関する画像をフィルムに生成し、重ね合わせて確認することで同じ患者情報のフィルムを仕分けるようにした例が記載されている。しかしながら、特許文献１に記載の例では、イメージャより出力された画像を仕分けたあとの確認、特に上記したｂ，ｃ，ｄの確認作業は手間がかかっていた。
【特許文献１】特開２００４−２２６７０２号公報
【発明の開示】
【発明が解決しようとする課題】
【００１０】
従来、イメージャを用いて検査画像をフィルムに印刷する場合、複数の医用画像診断装置から複数の検査画像がイメージャに送られるため、イメージャから出力されたシートの中から必要な検査シートを抜き出す際に、多くの手間がかかっていた。又、特許文献１の例であっても、抜き出したシートに別の検査シートが含まれていないか、残りのシートの中に必要な検査シートが残っていないか、抜き出したシートに一連の検査シートがすべて含まれているかといった確認作業には手間がかかっていた。
【００１１】
本発明は、イメージャを用いて検査画像をフィルムに印刷した場合に、フィルムに印刷されたキャラクタにより、必要なフィルムシートを容易に確認することができる医用装置を提供することを目的とする。
【課題を解決するための手段】
【００１２】
請求項１記載の本発明は、検査画像をフィルムシートに印刷可能にした医用装置であって、被検体を撮影して得た検査画像データを記憶可能な記憶部と、前記記憶部に記憶された検査画像データのうち、指定された一群の検査画像データを処理して所定のページ構成の画像データに変換するためのレイアウト管理部と、前記指定された一群の検査画像データを特定するＩＤ情報と、前記フィルムシートに印刷したときの個々のシートページとトータル枚数を表すシート情報を生成し、前記ＩＤ情報と前記シート情報を図化したキャラクタデータをページ毎に同位置に付加して各ページの画像データとともに出力するイメージ作成部と、を具備し、前記イメージ作成部から出力されるデータをフィルムシートに印刷処理して利用可能にしたことを特徴とする。
【００１３】
また、請求項記載の本発明は、被検体を撮影して得た検査画像をフィルムシートに印刷して出力し医用診断に供する医用装置であって、被検体を撮影して得た検査画像データを記憶可能な記憶部を有する医用画像診断装置と、前記記憶部に記憶された検査画像データのうち、指定された一群の検査画像データを所定のページで構成されるイメージデータに変換して出力するイメージ変換部と、前記イメージデータをフィルムシートに印刷して出力する印刷部を有するイメージャと、を具備し、前記イメージ変換部は、さらに前記指定された一群の検査画像データを特定するＩＤ情報と、前記フィルムシートに印刷したときの個々のシートページとトータル枚数を表すシート情報を生成し、前記ＩＤ情報と前記シート情報を図化したキャラクタデータをページ毎に同位置に付加して各ページの画像データとともに出力するイメージ作成部を有し、前記イメージ作成部からの出力を、前記イメージャを用いて前記フィルムシートにページ単位で印刷処理することを特徴とする。
【発明の効果】
【００１４】
本発明によれば、ＩＤキャラクタとページキャラクタを同一のフィルムシートに並べて印刷することにより、フィルムシートを重ね合わせて見ることで、同じ一群の画像シートに抜けがないか、また別の一群の画像シートが混ざっていないかを容易に確認することができる。
【発明を実施するための最良の形態】
【００１５】
以下、この発明の一実施の形態について図面を参照して詳細に説明する。
【実施例１】
【００１６】
図１は本発明の医用装置の一実施形態を示す構成図である。
【００１７】
図１において、１０，３０，４０は医用画像診断装置であり、Ｘ線ＣＴ装置（Ｘ線コンピュータトモグラフィ装置）、ＭＲＩ装置（磁気共鳴イメージング装置）、Ｘ線撮影装置等で構成されている。これら、医用画像診断装置１０，３０，４０はイメージャ２０に接続され、検査画像をフィルムに印刷して出力できるようにしている。図１では、医用画像診断装置１０についてのみ細部の構成を示している。
【００１８】
医用画像診断装置１０は、被検体を撮影して得た投影データを処理して検査画像データを生成する画像データ生成部１１と、画像データ生成部１１で生成された画像データを患者情報及び検査情報（検査日時、血圧、Ｘ線照射量等の情報）等の付帯情報とともに記憶する記憶部１２を有する。
【００１９】
さらに医用画像診断装置１０は、記憶部１２に記憶された検査画像データのうち、指定された一群の検査画像データを所定のページで構成されるイメージデータに変換して出力するイメージ変換部１００を有している。イメージ変換部１００は、印刷処理管理部１３、レイアウト管理部１４、カウンタ１５、符号化部１６、図化部１７、１８、及びイメージ作成部１９から構成されている。
【００２０】
印刷処理管理部１３は、フィルムに画像を印刷する際に、一度に印刷したい画像、例えば特定患者の特定の検査画像を指定して一括管理するものであり、印刷する画像の画像番号をカウンタ１５に供給するとともに、指定された画像群に共通の検査識別子を付し、この検査識別子を符号化部１６に供給する。さらに印刷すべき画像データをイメージ作成部１９に出力する。
【００２１】
レイアウト管理部１４は、フィルムの１シートをどのようなレイアウトで出力したいかを管理するものであり、例えば何枚の画像を１シートに印刷するかといった事項を決定し、印刷処理管理部１３に伝える。つまり、１シート当りの画像数を決定して所定のページ構成の画像データに変換するための指示を出す。
【００２２】
カウンタ１５は、レイアウト管理部１４から１シート当りの画像数を取得し、かつ印刷処理管理部１３から画像番号を受け取り、シート番号（ページ）、及び１処理当りのシート数（トータル枚数）に関するシート情報を図化部１７に伝える。図化部１７は、カウンタ１５から出力されシート情報を図化してイメージ作成部１９に出力する。
【００２３】
符号化部１６は、印刷処理管理部１３からの検査識別子をコード化して検査画像を特定するＩＤ情報を作成して図化部１８に伝える。図化部１８は符号化部１６から出力されたＩＤ情報を図化してイメージ作成部１９に出力する。
【００２４】
イメージ作成部１９は、レイアウト管理部１４の制御のもとに、複数の画像及び検査情報からフィルムシートに印刷すべきイメージデータを作成するもので、指定された画像群を処理して、１シートの画像上に検査情報等を付帯情報として埋め込み、指定されたレイアウトで作成されたイメージデータを出力する。 
一方、イメージャ２０は印刷部２１を有し、イメージ作成部１９から出力されたイメージデータを基に、フィルムシートに所定の画像を印刷して順次出力する。フィルムシートに印刷できるものであれば、印刷の手法は特に問わない。
【００２５】
次に上記イメージ作成部１９から出力されたイメージデータに基いて印刷されたフィルムシートの一例を図２、図３を参照して説明する。
【００２６】
図２は複数の画像情報Ｐ１〜Ｐｎの表示領域の枠外に、シート情報及びＩＤ情報を図化したキャラクタＣを表示した例を示す。また、図３は複数の画像情報Ｐ１〜Ｐｎの表示領域内に、シート情報及びＩＤ情報を図化したキャラクタＣを表示した例を示す。尚、以下の説明では、ＩＤ情報を図化したキャラクタをＩＤキャラクタと呼び、シート情報を図化したキャラクタをページキャラクタと呼ぶ。
【００２７】
図４は、前記キャラクタＣの内、ＩＤ情報を図化したＩＤキャラクタＣ１の一例を示したものである。ここではＩＤ情報が例えば７桁の２値情報 “１００１０１０”で表され、上下２段の白黒パターンにより“１”又は“０”を表現している。即ち、上段が白で下段が黒のときは“１”、上段が黒で下段が白のときは“０”を意味するもので、図４（ａ）のように市松模様により、ＩＤ情報を図化したものである。
【００２８】
このようなＩＤキャラクタＣ１は、一群のフィルムシートの同じ位置に共通に印刷されるため、印刷された複数のフィルムシートを重ね合わせて透かして見ると、全く同じ模様として見えるため、同じ一群のシートであるか否かが一目で確認できる。また、黒で印刷された部分は重なることでより濃くみえる。もし、他の群のシートが紛れていた場合、例えば図４（ｂ）のＣ１１のように、本来白い部分（透明部分）が黒く染まるため、他のシートが混ざっていることを容易に確認することができる。
【００２９】
図５はＩＤキャラクタの他の例を説明するもので、複数のフィルムシートの一枚目と２枚目以降のキャラクタを異ならせた例である。即ち（ａ）は一枚目、（ｂ）は２枚目以降、（ｃ）は複数枚のシートを重ね合わせた場合を示している。
【００３０】
図５（ａ）の１枚目のシートには、全シートに共通するＩＤキャラクタＣ１を印刷するとともに、その近傍（例えば直下部）にＩＤキャラクタのサンプルＣ２を表示している。一方、２枚目以降のシートには共通のＩＤキャラクタＣ１を印刷するとともに、その近傍（直下部）に空白欄Ｃ３を生成している。これにより、複数のシートを重ね合わせた場合は、（ｃ）のように共通のＩＤキャラクタＣ１のすぐ傍にサンプルキャラクタＣ２が見えるため、サンプルと照し合わせて確認することができる。
【００３１】
図６は、ＩＤキャラクタのさらに他の例を示したもので、（ａ）は例えば７桁の２値情報で成るＩＤを “１００１０１０”としたとき、１，０の文字をそのまま印刷した例である。このようなＩＤキャラクタＣ４の場合であっても、他の群のシートが紛れていた場合、例えば図６（ｂ）のＣ４１ように、本来“０”の部分が“１”であったりすると、他のシートが混ざっていることを容易に確認することができる。
【００３２】
図７は、ＩＤキャラクタの別の例を示したもので、（ａ）は例えば７桁の２値情報で成るＩＤを “１００１０１０”としたとき、“１”をアルファベットＡに置き換え、“０”をアルファベットＤに置き換えて印刷した例である。このようなＩＤキャラクタＣ５の場合であっても、他の群のシートが紛れていた場合、例えば図７（ｂ）のＣ５１ように、本来“Ａ”の部分が“Ｄ”であったりすると、他のシートが混ざっていることを容易に確認することができる。尚、このようにアルファベットに置き換える場合は、類似するアルファベット、例えばＯとＤ、ＥとＦ等は避ける必要がある。
【００３３】
次にページキャラクタの印刷例について図８を参照して説明する。ページキャラクタは、シート番号（ページ）、及び１処理当りのシート数（トータル枚数）に関するシート情報をもとに、フィルムシートの個別のページと、一群のシートのトータルページを各シート毎に図化して印刷したものである。
【００３４】
例えば図８（ａ）において、ページキャラクタＣ６は、各シートに自己のページを現すページマークＣ６１と、ページのエンドマークＣ６ｅが並んで印刷され、各ページ毎にそれぞれ順次ずれた位置に自己のページマークＣ６１を印刷し、ページのエンドマークＣ６ｅは各シートに共通して同位置に印刷している。
【００３５】
図８（ｂ）は複数のフィルムシートを互いに重ね合わせたときのページキャラクタを示し、全てのページのシートが出力されたときは、各ページマークＣ６１によって１本の棒状のマークが生成されてエンドマークＣ６１ｅにつながる。また途中で抜けているページがある場合には、図８（ｃ）のように歯抜け状態に見えるため、抜けのページがあれば容易に確認することができる。さらに、別の群のシートが混ざっていた場合には、例えば図８（ｄ）のようにエンドマークＣ６ｅが隠れてしまったり、ページマークの連続性が無くなるため、容易に確認することができる。
【００３６】
尚、上記したページキャラクタＣ６は、図８（ｅ）のように、ページマークＣ６１及びエンドマークＣ６ｅの上または下に、自己のページ数とトータル枚数の数値を印刷することで、トータル枚数に対して何枚目のシートであるかを容易に認識させることができる。また、トータル枚数が多い場合は、図８（ｆ）のようにページマークＣ６１の幅を狭くすれば良い。
【００３７】
図９はページキャラクタのさらに別の例を示したものである。この例はフィルムシートのトータル枚数が増加する場合に適したものであり、（ａ）で示すように、ページマークＣ６１を表示する部分を上下多段の領域に印刷し、エンドマークＣ６１ｅを最下段の終端部に印刷したものである。
【００３８】
この例では、複数のフィルムシートを互いに重ね合わせると、図９（ｂ）のように、上下段のページマークが順序良く並んで最下段のエンドマークＣ６１ｅまでつながる。従って、途中のページが抜けていた場合は歯抜け状態になり容易に確認することができる。また、別の群のシートが混ざっていた場合には、ページマークの連続性が無くなったり、エンドマークＣ６ｅが隠れてしまうため、容易に確認することができる。
【００３９】
次に図化部１７及び図化部１８が、シート情報及びＩＤ情報をＩＤキャラクタ及びページキャラクタに変換する際の、変換プログラムについて図１０を参照して説明する。
【００４０】
図１０において、「検査シート」の欄のＡ−１，Ａ−２・・・Ａ−ｎは、例えば患者別の一群の検査画像を表し、「ＩＤ上段」の欄は最初ページのシートにおけるＩＤキャラクタを表し、「ＩＤ下段」の欄は、２ページ目以降のＩＤキャラクタを表している（図５の例を参照）。さらに「シート」の欄はページキャラクタを現している。したがって、Ａ群に属するフィルムシートは、この変換表を基いてシート情報及びＩＤ情報がＩＤキャラクタ、ページキャラクタに変換され、印刷処理される。又、別の群の検査画像Ｂ−１，Ｂ−２・・・Ｂ−ｎについても、同様に別のＩＤキャラクタ、ページキャラクタに変換されて印刷処理される。
【００４１】
こうして本発明の一実施形態では、ＩＤキャラクタとページキャラクタを同一のフィルムシートに並べて印刷することにより、フィルムシートを重ね合わせて見ることで、同じ一群の画像シートに抜けがないか、また別の一群の画像シートが混ざっていないか、一群の検査シートのすべてのページが揃っているか、抜けがある場合にどのページが抜けているか、といった確認を容易に行うことができる。
【００４２】
また、フィルムシートに印刷したＩＤキャラクタは、患者情報を秘匿化したものであるため、個人情報の漏洩を防ぐことができる。さらに、コード化したＩＤキャラクタを使用することで、必要なシートを光学読取装置で識別する際には、識別精度を向上させることができる。
【実施例２】
【００４３】
図１１は本発明の医用装置の第２の実施形態を示すブロック図である。図１１の構成は、印刷処理管理部２３、レイアウト管理部２４、カウンタ２５、符号化部２６、図化部２７、２８、及びイメージ作成部２９で成るイメージ変換部２００をイメージャ２０の中に設け、医用画像診断装置１０に、前記イメージ変換部２００を制御するイメージャ制御部５０を設けたものである。
【００４４】
この実施形態では、イメージ作成部２９から出力されたイメージデータを、印刷部２１においてフィルムシートに印刷して出力するようにしたもので、図１の構成と同様の作用・効果を得ることができる。
【００４５】
尚、フィルムシートに印刷するＩＤキャラクタ及びページキャラクタは、以上の説明のものに限らず、特許請求の範囲を逸脱しない範囲内で種々の変形が可能である。
【図面の簡単な説明】
【００４６】
【図１】本発明の医用装置の一実施形態の構成を示すブロック図。
【図２】同実施形態によるフィルムシートへの印刷出力の一例を示す説明図。
【図３】同実施形態によるフィルムシートへの印刷出力の他の例を示す説明図。
【図４】同実施形態によるフィルムシートでのＩＤキャラクタの一例を示す説明図。
【図５】同実施形態によるフィルムシートでのＩＤキャラクタの他の例を示す説明図。
【図６】同実施形態によるフィルムシートでのＩＤキャラクタの別の例を示す説明図。
【図７】同実施形態によるフィルムシートでのＩＤキャラクタのさらに別の例を示す説明図。
【図８】同実施形態によるフィルムシートでのページキャラクタの一例を示す説明図。
【図９】同実施形態によるフィルムシートでのページキャラクタの他の例を示す説明図。
【図１０】同実施形態によるフィルムシートへの印刷変換処理プログラムを説明する説明図。
【図１１】本発明の医用装置の第２の実施形態を示す構成図。
【符号の説明】
【００４７】
１０…医用画像診断装置
１１，２１…画像データ生成部
１２，２２…記憶部
１３，２３…印刷処理管理部
１４，２４…レイアウト管理部
１５，２５…カウンタ
１６，２６…符号化部
１７，２７…図化部
１８，２８…図化部
１９，２９…イメージ作成部
３０…医用画像診断装置
４０…医用画像診断装置
【図１】
2007190273.tif 000003
【図２】
2007190273.tif 000004
【図３】
2007190273.tif 000005
【図４】
2007190273.tif 000006
【図５】
2007190273.tif 000007
【図６】
2007190273.tif 000008
【図７】
2007190273.tif 000009
【図８】
2007190273.tif 000010
【図９】
2007190273.tif 000011
【図１０】
2007190273.tif 000012
【図１１】
2007190273.tif 000013